(57)【特許請求の範囲】
【請求項１】
センサと、
上記センサが作動した場合にオンになるスイッチング素子と、
他のセンサ装置と電気接続される第一の接続端子と、
上記他のセンサ装置と電気接続される第二の接続端子であって、上記スイッチング素子を介して上記第一の接続端子と電気接続している第二の接続端子と、
上記スイッチング素子がオンになることで上記第一の接続端子及び上記第二の接続端子の間の電位差が所定の閾値より小さくなっている場合と、上記第一の接続端子と電気接続している上記他のセンサ装置の接続端子、及び、上記第二の接続端子と電気接続している上記他のセンサ装置の接続端子の間の電位差が上記閾値より小さくなることで上記第一の接続端子及び上記第二の接続端子の間の電位差が所定の閾値より小さくなっている場合とのいずれにおいても、センサ作動信号を出力する信号出力回路と
を有することを特徴とするセンサ装置。
【請求項２】
上記センサ装置は、
抵抗と、
上記第一の接続端子と電気接続している第一の出力端子と、上記抵抗を介して上記第二の接続端子と電気接続している第二の出力端子とを有し、当該第一の出力端子及び当該第二の出力端子を介して直流電力を出力する直流電源装置と
を有し、
上記センサは、上記直流電源装置が出力した直流電力を電源として動作することを特徴とする請求項１に記載のセンサ装置。
【請求項３】
上記センサ装置は、
上記第一の接続端子及び上記第二の接続端子の間に、上記スイッチング素子と直列に電気接続され、上記スイッチング素子を流れる電流を制限する電流制限抵抗と、上記第一の接続端子及び上記第二の接続端子の間に、上記スイッチング素子と直列に電気接続され、両端電圧が所定の電圧より高い場合にオンになる定電圧素子とのうち少なくともいずれか
を有することを特徴とする請求項１又は２に記載のセンサ装置。
【請求項４】
請求項１から３のいずれかに記載のセンサ装置と、
上記スイッチング素子をオフにした状態で上記信号出力回路がセンサ作動信号を出力しているか否かを判定し、判定した結果に基づいて、上記信号出力回路がセンサ作動信号を出力しているか否かを表す信号を生成し、生成した信号を他の通信装置に送信するとともに、上記他の通信装置が有する信号出力回路がセンサ作動信号を出力していることを表す信号を上記他の通信装置から受信した場合、上記スイッチング素子をオンにし、上記他の通信装置が有する信号出力回路がセンサ作動信号を出力していないことを表す信号を上記他の通信装置から受信した場合、上記スイッチング素子をオフにする通信回路と
を有することを特徴とする通信装置。
【請求項５】
請求項１又は３に記載のセンサ装置
を２つ有するとともに、
当該２つのセンサ装置の上記スイッチング素子をオフにした状態で当該２つのセンサ装置の上記信号出力回路がセンサ作動信号を出力しているか否かを判定し、当該２つのセンサ装置のうち一方の上記信号出力回路がセンサ作動信号を出力していると判定した場合、当該２つのセンサ装置のうち他方の上記スイッチング素子をオンにし、当該２つのセンサ装置のうち他方の上記信号出力回路がセンサ作動信号を出力していると判定した場合、当該２つのセンサ装置のうち一方の上記スイッチング素子をオンにする制御回路
を有することを特徴とする中継装置。
【請求項６】
請求項１から３のいずれかに記載のセンサ装置と、
上記信号出力回路が出力したセンサ作動信号に基づいて、光源の点灯状態を制御する制御回路と
を有することを特徴とする照明装置。
【請求項７】
請求項１から３のいずれかに記載のセンサ装置と、
上記信号出力回路が出力したセンサ作動信号に基づいて、照明装置の点灯状態を制御する制御信号を生成する制御信号生成回路と
を有することを特徴とする照明制御装置。
【請求項８】
請求項１から３のいずれかに記載のセンサ装置
を複数有し、
当該複数のセンサ装置の上記第一の接続端子同士及び上記第二の接続端子同士が、それぞれ電気接続していることを特徴とする照明システム。
【発明の詳細な説明】
【技術分野】
【０００１】
この発明は、人感センサなどのセンサを有するセンサ装置に関する。
【背景技術】
【０００２】
人感センサなどのセンサによる検出結果に基づいて、光源の点灯状態を制御することにより省エネルギーを図る照明システムがある。
センサや照明装置を複数有し、各装置に通信部を設け、通信部同士がシリアル通信などにより通信する照明システムがある。このような照明システムでは、センサが検出した情報を照明装置や制御装置などに対して通知することで、照明装置の光源の点灯状態を制御する。
【先行技術文献】
【特許文献】
【０００３】
【特許文献１】特開２０１０−１７６９１２号公報
【発明の概要】
【発明が解決しようとする課題】
【０００４】
このような照明システムでは、各装置にシリアル通信などの通信が可能な通信回路を設ける必要がある。また、有線通信を用いる場合、各装置の間を通信ケーブルなどで接続する必要がある。
この発明は、例えば、複雑な通信回路を用いることなく、複数のセンサが検出した情報に基づいて複数の照明装置の光源の点灯状態を制御することを目的とする。
【課題を解決するための手段】
【０００５】
この発明にかかるセンサ装置は、センサと、上記センサが作動した場合にオンになるスイッチング素子と、他のセンサ装置と電気接続される第一の接続端子と、上記他のセンサ装置と電気接続される第二の接続端子であって、上記スイッチング素子を介して上記第一の接続端子と電気接続している第二の接続端子と、上記二つの接続端子の間の電位差が所定の閾値より小さい場合に、センサ作動信号を出力する信号出力回路とを有することを特徴とする。
【発明の効果】
【０００６】
この発明によれば、センサ装置自身のセンサと、２つの接続端子を介して電気接続された他のセンサ装置のセンサとのうちのいずれかが作動した場合に、信号出力回路がセンサ作動信号を出力するので、複雑な通信回路を用いることなく、複数のセンサが検出した情報に基づいて複数の照明装置の光源の点灯状態を制御することができる。
【図面の簡単な説明】
【０００７】
【図１】実施の形態１における照明システム９０の構成を示す図。
【図２】実施の形態１におけるセンサ装置９１の構成を示す図。
【図３】実施の形態１におけるセンサ付照明装置９２の構成を示す図。
【図４】実施の形態１における照明装置９３の構成を示す図。
【図５】実施の形態１におけるセンサ付照明制御装置９５の構成を示す図。
【図６】実施の形態１における照明制御装置９６の構成を示す図。
【図７】実施の形態１における通信装置９７の構成を示す図。
【図８】実施の形態１におけるスイッチ装置９８の構成を示す図。
【図９】実施の形態１における中継装置９９の構成を示す図。
【図１０】実施の形態１における照明システム９０の動作を説明するための図。
【図１１】実施の形態２におけるセンサ装置３１の構成を示す図。
【図１２】実施の形態２における照明システム９０の動作を説明するための図。
【図１３】実施の形態３におけるセンサ装置９１の構成を示す図。
【図１４】実施の形態３におけるセンサ回路２１の構成を示す図。
【図１５】実施の形態３における照明システム９０の配線を示す接続図。
【図１６】実施の形態４におけるセンサ装置９１の構成を示す図。
【図１７】実施の形態４におけるセンサ回路２１の構成を示す図。
【図１８】実施の形態４における照明システム９０の配線を示す接続図。
【図１９】実施の形態４における切替スイッチＳ８，Ｓ９の設定モードと、点灯するセンサ付照明装置９２との関係を示す図。
【図２０】実施の形態４における切替スイッチＳ８，Ｓ９の設定モードと、点灯するセンサ付照明装置９２との関係の別の例を示す図。
【発明を実施するための形態】
【０００８】
実施の形態１．
実施の形態１について、図１〜図１０を用いて説明する。
【０００９】
図１は、この実施の形態における照明システム９０の構成を示す図である。
【００１０】
照明システム９０は、人検出機能を持った照明装置などの複数の装置において、各装置が検出した人検出情報を相互にやり取りし、その人検出情報をもとに連動して動作する。
照明システム９０は、例えば、センサ装置９１と、センサ付照明装置９２と、照明装置９３，９４と、センサ付照明制御装置９５と、照明制御装置９６と、通信装置９７と、スイッチ装置９８と、中継装置９９とを有する。なお、照明システム９０は、これらの装置をすべて有する必要はない。また、これらの装置は、複数あってもよい。
センサ装置９１は、人感センサを内蔵している。センサ装置９１は、センサ間接続端子を有する。
センサ付照明装置９２は、人感センサを内蔵した照明装置である。センサ付照明装置９２は、センサ間接続端子を有する。センサ付照明装置９２は、内蔵している人感センサや、センサ間接続端子を介して接続されたセンサ装置９１などの装置の人感センサによる検出結果に基づいて、光源の点灯状態（点灯・消灯・調光など）を変化させる。
照明装置９３は、人感センサを内蔵していない照明装置である。しかし、照明装置９３は、センサ間接続端子を有する。照明装置９３は、センサ間接続端子を介して接続されたセンサ装置９１などの装置の人感センサによる検出結果に基づいて、光源の点灯状態を変化させる。
照明装置９４は、人感センサを内蔵していない照明装置である。更に、照明装置９４は、センサ間接続端子も有さない。照明装置９４は、照明制御装置などから調光信号を入力し、入力した調光信号にしたがって、光源の点灯状態を変化させる。
センサ付照明制御装置９５は、人感センサを内蔵している照明制御装置である。センサ付照明制御装置９５は、センサ間接続端子を有する。センサ付照明制御装置９５は、内蔵している人感センサや、センサ間接続端子を介して接続されたセンサ装置９１などの装置の人感センサによる検出結果に基づいて、照明装置９４を制御する調光信号を生成する。
照明制御装置９６は、人感センサを内蔵していない照明制御装置である。しかし、照明制御装置９６は、センサ間接続端子を有する。照明制御装置９６は、センサ間接続端子を介して接続されたセンサ装置９１などの装置の人感センサによる検出結果に基づいて、照明装置９４を制御する調光信号を生成する。
通信装置９７は、他の通信装置９７と通信する。通信装置９７は、センサ間接続端子を有する。通信装置９７は、センサ間接続端子を介して接続されたセンサ装置９１などの装置の人感センサによる検出結果を、他の通信装置９７に対して送信する。また、通信装置９７は、他の通信装置９７にセンサ間接続端子を介して接続されたセンサ装置９１などの装置の人感センサによる検出結果を、他の通信装置９７から受信し、センサ間接続端子を介して接続されたセンサ付照明装置９２などの装置に対して通知する。
【００１１】
図２は、この実施の形態におけるセンサ装置９１の構成を示す図である。
【００１２】
センサ装置９１は、例えば、センサ端子台１０と、定電圧素子Ｄ１と、電流制限抵抗Ｒ１と、スイッチング回路Ｓ１と、人感センサ１３とを有する。
センサ端子台１０は、他のセンサ装置９１、センサ付照明装置９２、照明装置９３、センサ付照明制御装置９５、照明制御装置９６などのセンサ端子台１０に接続される配線を接続するための端子台である。センサ端子台１０は、２つのセンサ間接続端子１１，１２を有する。センサ間接続端子１１（第一の接続端子）は、他の装置のセンサ間接続端子１１に接続される。センサ間接続端子１２（第二の接続端子）は、他の装置のセンサ間接続端子１２に接続される。
人感センサ１３は、例えば焦電センサなどを有し、所定の検知範囲内に人が存在するか否かを検知する。人感センサ１３は、２つのセンサ間接続端子１１，１２を介して外部から供給される電力により動作する。
定電圧素子Ｄ１は、例えばツェナーダイオードなど、両端電圧が所定の閾値電圧（例えば７Ｖ）を超えるとオンになるスイッチング素子である。
電流制限抵抗Ｒ１は、スイッチング回路Ｓ１を流れる電流を制限するための抵抗である。
スイッチング回路Ｓ１は、例えばＮＰＮ型バイポーラトランジスタやエンハンスメント型ｎＭＯＳＦＥＴ（電界効果トランジスタ）などのスイッチング素子を有する。スイッチング回路Ｓ１のスイッチング素子は、人感センサ１３が作動した場合（すなわち、人感センサ１３の検知範囲内に人が存在する場合）に、オンになる。
定電圧素子Ｄ１と電流制限抵抗Ｒ１とスイッチング回路Ｓ１とは、直列に電気接続している。定電圧素子Ｄ１と電流制限抵抗Ｒ１とスイッチング回路Ｓ１との直列回路は、２つのセンサ間接続端子１１，１２の間に接続している。
なお、スイッチング回路Ｓ１のオン抵抗が比較的大きいなど、スイッチング回路Ｓ１を過大な電流が流れるのを防ぐ必要がない場合、電流制限抵抗Ｒ１は、なくてもよい。
【００１３】
図３は、この実施の形態におけるセンサ付照明装置９２の構成を示す図である。
【００１４】
センサ付照明装置９２は、例えば、センサ回路２１と、制御回路２４と、点灯回路２５とを有する。
センサ回路２１（センサ装置）は、例えば、センサ端子台１０と、定電圧素子Ｄ１と、電流制限抵抗Ｒ１と、スイッチング回路Ｓ１と、人感センサ１３と、制御電源回路１４と、抵抗Ｒ４と、信号出力回路１５とを有する。このうち、センサ端子台１０、定電圧素子Ｄ１、電流制限抵抗Ｒ１、スイッチング回路Ｓ１及び人感センサ１３は、センサ装置９１と同様なので、説明を省略する。ただし、人感センサ１３は、制御電源回路１４が出力した電力を電源として動作する。
制御電源回路１４は、商用電源などの外部電源８１から供給される電力を、人感センサ１３や制御回路２４などを動作させるための直流電力に変換する直流電圧源である。制御電源回路１４が出力する直流電力の電圧値（制御電源電圧。例えば１２Ｖ）は、定電圧素子Ｄ１の閾値電圧より高い。制御電源回路１４は、２つの出力端子を有する。２つの出力端子は、制御電源回路１４が変換した直流電力を出力するための端子である。２つの出力端子のうちの１つ（第一の出力端子）は、センサ付照明装置９２内の基準電位を有するグランド配線に電気接続している。
【００１５】
抵抗Ｒ４は、制御電源回路１４のもう１つの出力端子（第二の出力端子）と、センサ間接続端子１２との間に電気接続している。センサ端子台１０に接続された配線を介して、センサ付照明装置９２がセンサ装置９１と接続している場合、制御電源回路１４が出力した電力は、センサ端子台１０に接続された配線を介してセンサ装置９１に対して供給され、センサ装置９１が動作するための電源となる。
【００１６】
信号出力回路１５（人感センサ処理回路）は、２つのセンサ間接続端子１１，１２の間の電位差が所定の閾値（例えば９．５Ｖ）より小さい場合に、センサ作動信号を出力する。センサ作動信号とは、人感センサ１３が作動した（すなわち、人感センサ１３の検知範囲内に人が存在する）ことを表わす信号である。センサ端子台１０に接続された配線を介して、センサ付照明装置９２がセンサ装置９１や他のセンサ付照明装置９２などと接続している場合、センサ付照明装置９２自身の人感センサ１３が作動した場合だけでなく、接続しているセンサ装置９１や他のセンサ付照明装置９２などの人感センサ１３が作動した場合にも、信号出力回路１５は、センサ作動信号を出力する。
信号出力回路１５は、例えば、スイッチング回路Ｓ５と、抵抗Ｒ５とを有する。
スイッチング回路Ｓ５は、例えばＰＮＰ型バイポーラトランジスタやエンハンスメント型ｐＭＯＳＦＥＴなどのスイッチング素子を有する。スイッチング回路Ｓ５のスイッチング素子は、抵抗Ｒ４の両端電圧が所定の閾値より大きい場合にオンになる。例えば、２つの分圧抵抗を直列に電気接続して抵抗Ｒ４を構成し、バイポーラトランジスタのベース端子やＭＯＳＦＥＴのゲート端子などスイッチング素子の制御端子を２つの分圧抵抗の接続点に電気接続する。これにより、抵抗Ｒ４の両端電圧が閾値より大きくなると、スイッチング素子がオンになる。制御電源回路１４は、定電圧源であるから、２つのセンサ間接続端子１１，１２の間の電位差が小さくなると、抵抗Ｒ４の両端電圧が大きくなる。したがって、スイッチング回路Ｓ５のスイッチング素子は、２つのセンサ間接続端子１１，１２の間の電位差が所定の閾値より小さくなると、オンになる。
スイッチング回路Ｓ５と抵抗Ｒ５（プルダウン抵抗）とは、直列に電気接続している。スイッチング回路Ｓ５と抵抗Ｒ５との直列回路は、制御電源回路１４の出力に電気接続している。信号出力回路１５は、抵抗Ｒ５の両端電圧を出力する。スイッチング回路Ｓ５がオンになると、スイッチング回路Ｓ５を介して抵抗Ｒ５に電流が流れるので、抵抗Ｒ５の両端電圧が大きくなる。
【００１７】
点灯回路２５は、外部電源８１から供給される電力を、ＬＥＤなどの光源８２に対して供給する電力に変換して、光源８２を点灯する。
制御回路２４は、例えばマイクロコンピュータ（マイコン）であり、記憶装置と、処理装置と、入力装置と、出力装置とを有する。記憶装置は、コンピュータプログラムやデータを記憶する。処理装置は、記憶装置が記憶したコンピュータプログラムを実行することにより、データを処理し、制御回路２４全体を制御する。入力装置は、制御回路２４の外部から信号を入力し、処理装置が処理するデータに変換する。入力装置が変換したデータは、処理装置が直接処理してもよいし、記憶装置が一時的に記憶してもよい。出力装置は、処理装置が処理したデータや記憶装置が記憶したデータを信号に変換して、制御回路２４の外部に出力する。なお、制御回路２４は、記憶装置が記憶したコンピュータプログラムを処理装置が実行することにより、以下の機能を実現する。なお、制御回路２４は、マイコンに限らず、例えばデジタル回路やアナログ回路などの電気的構成、機械的構成やその他の構成により、以下の機能を実現するものであってもよい。
制御回路２４は、制御電源回路１４が出力した直流電力を電源として動作する。制御回路２４は、信号出力回路１５が出力したセンサ作動信号に基づいて、点灯回路２５の動作を制御することにより、光源８２の点灯状態を制御する。制御回路２４は、例えば、信号出力回路１５が出力した抵抗Ｒ５の両端電圧を入力する。抵抗Ｒ５の両端電圧が所定の閾値より大きい場合、制御回路２４は、信号出力回路１５がセンサ作動信号を出力していると判定する。
【００１８】
例えば、制御回路２４は、信号出力回路１５がセンサ作動信号を出力している間だけ、光源８２を点灯し、信号出力回路１５がセンサ作動信号を出力していない場合は、光源８２を消灯する。あるいは、制御回路２４は、信号出力回路１５がセンサ作動信号を出力している間は、所定の調光率（在時調光率）で光源８２を点灯し、信号出力回路１５がセンサ作動信号を出力していない場合は、在時調光率よりも低い所定の調光率（不在時調光率）で光源８２を点灯する。
あるいは、制御回路２４は、信号出力回路１５がセンサ作動信号を出力した場合に、光源８２を点灯し、あるいは、在時調光率で明るく点灯する。信号出力回路１５がセンサ作動信号を出力しなくなっても、制御回路２４は、所定の時間（保持時間）が経過するまでの間、そのまま光源８２の点灯を続け、保持時間が経過したのち、光源８２を消灯し、あるいは、不在時調光率で暗く点灯する。
あるいは、制御回路２４は、信号出力回路１５がセンサ作動信号の出力を始めた場合に、光源８２の調光率を徐々に高くして、所定の時間（フェードイン時間）をかけて、光源８２の調光率を最大調光率もしくは在時調光率にする。信号出力回路１５がセンサ作動信号の出力を停止した場合、もしくは、信号出力回路１５がセンサ作動信号の出力を停止してから保持時間が経過した場合、制御回路２４は、光源８２の調光率を徐々に低くして、所定の時間（フェードアウト時間）をかけて、光源８２を消灯し、あるいは、光源８２の調光率を不在時調光率にする。
制御回路２４は、在時調光率や不在時調光率や保持時間（オフディレー時間）やフェードイン時間やフェードアウト時間などのパラメータとして、あらかじめ設定された値を記憶している。制御回路２４は、外部からの操作や信号などによりこれらのパラメータの設定値を変更できる構成であってもよい。
【００１９】
図４は、この実施の形態における照明装置９３の構成を示す図である。
【００２０】
照明装置９３は、例えば、センサ入力回路２２と、制御回路２４と、点灯回路２５とを有する。このうち、制御回路２４及び点灯回路２５は、センサ付照明装置９２と同様である。
センサ入力回路２２は、例えば、センサ端子台１０と、制御電源回路１４と、抵抗Ｒ４と、信号出力回路１５とを有する。これらは、センサ装置９１のセンサ回路２１と同様である。すなわち、センサ入力回路２２は、センサ回路２１から、人感センサ１３と定電圧素子Ｄ１と電流制限抵抗Ｒ１とスイッチング回路Ｓ１とを取り除いた回路である。
【００２１】
図５は、この実施の形態におけるセンサ付照明制御装置９５の構成を示す図である。
【００２２】
センサ付照明制御装置９５は、例えば、センサ回路２１と、制御回路２４とを有する。このうち、センサ回路２１は、センサ付照明装置９２と同様である。
制御回路２４は、センサ付照明装置９２の制御回路２４と同様、センサ回路２１が出力したセンサ作動信号に基づいて、光源８２の点灯状態を制御する。センサ付照明装置９２の制御回路２４が点灯回路２５を直接制御して、センサ付照明装置９２に接続された光源８２の点灯状態を制御するのに対し、センサ付照明制御装置９５の制御回路２４は、照明装置９４を制御する調光信号を生成することにより、照明装置９４に接続された光源８２の点灯状態を制御する。制御回路２４は、例えばパルス幅変調された信号（ＰＷＭ信号）を生成して調光信号とする。
【００２３】
図６は、この実施の形態における照明制御装置９６の構成を示す図である。
【００２４】
照明制御装置９６は、例えば、センサ入力回路２２と、制御回路２４とを有する。このうち、センサ入力回路２２は、照明装置９３と同様であり、制御回路２４は、センサ付照明制御装置９５と同様である。
【００２５】
図７は、この実施の形態における通信装置９７の構成を示す図である。
【００２６】
通信装置９７は、例えば、センサ変換回路２３と、通信回路２６とを有する。
センサ変換回路２３は、例えば、センサ端子台１０と、定電圧素子Ｄ１と、電流制限抵抗Ｒ１と、スイッチング回路Ｓ１と、制御電源回路１４と、抵抗Ｒ４と、信号出力回路１５とを有する。このうち、センサ端子台１０、定電圧素子Ｄ１、電流制限抵抗Ｒ１、制御電源回路１４、抵抗Ｒ４、信号出力回路１５は、センサ付照明装置９２やセンサ付照明制御装置９５のセンサ回路２１と同様である。スイッチング回路Ｓ１は、通信回路２６からの指示にしたがってオンオフする。
通信回路２６は、他の通信装置９７の通信回路２６と通信する。例えば、通信回路２６の間は、ＲＳ−２３２Ｃケーブル、ＲＳ−４８５ケーブル、ＬＡＮケーブルなどの有線により接続されていて、通信回路２６は、他の通信装置９７の通信回路２６と有線通信する。あるいは、通信回路２６は、微弱電波や赤外線などの電磁波や超音波などを使って、他の通信装置９７の通信回路２６と無線通信する。
通信回路２６は、信号出力回路１５がセンサ作動信号を出力しているか否かを表わす信号を他の通信装置９７に対して送信する。通信回路２６は、例えば所定の周期で、信号出力回路１５がセンサ作動信号を出力しているか否かを表わす信号を繰り返し送信する。
また、通信回路２６は、他の通信装置９７から、その通信装置９７の信号出力回路１５がセンサ作動信号を出力しているか否かを表わす信号を受信する。他の通信装置９７の信号出力回路１５がセンサ作動信号を出力していることを表わす信号を受信した場合、通信回路２６は、スイッチング回路Ｓ１をオンにする。他の通信装置９７の信号出力回路１５がセンサ作動信号を出力していないことを表わす信号を受信した場合、通信回路２６は、スイッチング回路Ｓ１をオフにする。
なお、スイッチング回路Ｓ１がオンであれば、信号出力回路１５はセンサ作動信号を出力するので、通信回路２６は、スイッチング回路Ｓ１をオフにした状態で信号出力回路１５がセンサ作動信号を出力しているか否かを判定し、判定した結果に基づいて、他の通信装置９７に対して送信する信号を生成する。その後、通信回路２６は、スイッチング回路Ｓ１の状態を元に戻す構成であってもよいし、他の通信装置９７から、その通信装置９７の信号出力回路１５がセンサ作動信号を出力していることを表わす信号を受信するまで、スイッチング回路Ｓ１をオンしない構成であってもよい。
【００２７】
図８は、この実施の形態におけるスイッチ装置９８の構成を示す図である。
【００２８】
スイッチ装置９８は、例えば、センサ端子台１０と、定電圧素子Ｄ１と、電流制限抵抗Ｒ１と、スイッチング回路Ｓ１とを有する。センサ端子台１０と定電圧素子Ｄ１と電流制限抵抗Ｒ１とは、センサ装置９１と同様である。
スイッチング回路Ｓ１は、利用者が手動で操作する操作スイッチを有する。利用者による操作スイッチの操作にしたがって、スイッチング回路Ｓ１は、オンオフする。操作スイッチは、人感センサ１３が人の存在を検知したか否かにかかわらず、照明システム９０の光源８２を強制的に点灯するためのスイッチである。なお、操作スイッチは、切り忘れを防ぐため、オンしてから所定の時間（例えば数分〜数十分）が経過すると自動的にオフになる遅延自動復帰スイッチであることが望ましい。
【００２９】
図９は、この実施の形態における中継装置９９の構成を示す図である。
【００３０】
中継装置９９は、例えば、２つのセンサ変換回路２３ａ，２３ｂと、制御回路２４とを有する。
２つのセンサ変換回路２３ａ，２３ｂは、基本的に、通信装置９７のセンサ変換回路２３と同様である。センサ変換回路２３ａ，２３ｂのスイッチング回路Ｓ１は、制御回路２４からの指示にしたがってオンオフする。また、２つのセンサ変換回路２３ａ，２３ｂは、制御電源回路１４を共用できるため、センサ変換回路２３ｂには、制御電源回路１４がなく、センサ変換回路２３ａの制御電源回路１４を使っている。
制御回路２４は、センサ変換回路２３ａの信号出力回路１５がセンサ作動信号を出力しているか否かに基づいて、センサ変換回路２３ｂのスイッチング回路Ｓ１をオンオフし、センサ変換回路２３ｂの信号出力回路１５がセンサ作動信号を出力しているか否かに基づいて、センサ変換回路２３ａのスイッチング回路Ｓ１をオンオフする。
例えば、制御回路２４は、定期的に、２つのセンサ変換回路２３ａ，２３ｂのスイッチング回路Ｓ１をともにオフにして、それぞれの信号出力回路１５がセンサ作動信号を出力しているか否かを検出する。センサ変換回路２３ａの信号出力回路１５がセンサ作動信号を出力している場合、制御回路２４は、センサ変換回路２３ｂのスイッチング回路Ｓ１をオンにする。センサ変換回路２３ｂの信号出力回路１５がセンサ作動信号を出力している場合、制御回路２４は、センサ変換回路２３ａのスイッチング回路Ｓ１をオンにする。
【００３１】
図１０は、この実施の形態における照明システム９０の動作を説明するための図である。
【００３２】
照明システム９０を構成する装置には、センサ付照明装置９２やセンサ付照明制御装置９５や通信装置９７のように制御電源回路１４とスイッチング回路Ｓ１とを有する装置と、センサ装置９１やスイッチ装置９８のようにスイッチング回路Ｓ１を有し制御電源回路１４を有さない装置と、照明装置９３や照明制御装置９６のように制御電源回路１４を有しスイッチング回路Ｓ１を有さない装置とがある。
これらの装置のセンサ間接続端子１２同士を電気接続し、センサ間接続端子１１同士を電気接続すると、スイッチング回路Ｓ１を含む直列回路同士が並列に電気接続し、制御電源回路１４と抵抗Ｒ４との直列回路同士が並列に電気接続する。配線の電気抵抗を無視すれば、これらの装置の２つのセンサ間接続端子１１，１２の間の電位差は、すべて同じである。
人感センサ１３の動作電流は、非常に小さく、無視できるものとする。
すべてのスイッチング回路Ｓ１がオフである場合、抵抗Ｒ４を電流が流れないので、２つのセンサ間接続端子１１，１２の間の電位差は、制御電源回路１４の出力電圧（例えば１２Ｖ）にほぼ等しい。２つのセンサ間接続端子１１，１２の間の電位差が閾値（例えば９．５Ｖ）より大きいので、信号出力回路１５は、センサ作動信号を出力しない。
いずれかのスイッチング回路Ｓ１がオンである場合、２つのセンサ間接続端子１１，１２の間の電位差は、定電圧素子Ｄ１の閾値電圧（例えば７Ｖ）と電流制限抵抗Ｒ１における電圧降下との和になる。２つのセンサ間接続端子１１，１２の間の電位差が閾値より小さくなるので、信号出力回路１５は、センサ作動信号を出力する。
【００３３】
すなわち、接続されたセンサ付装置（センサ装置９１、センサ付照明装置９２またはセンサ付照明制御装置９５）のいずれかの人感センサ１３が人の存在を検知すると、その装置のスイッチング回路Ｓ１がオンになり、接続された装置のすべての信号出力回路１５がセンサ作動信号を出力する。また、直接接続していないが通信装置９７を介して接続されたセンサ付装置のいずれかの人感センサ１３が人の存在を検知すると、通信装置９７のスイッチング回路Ｓ１がオンになり、接続された装置のすべての信号出力回路１５がセンサ作動信号を出力する。また、利用者がスイッチ装置９８の操作スイッチをオンにすると、スイッチ装置９８のスイッチング回路Ｓ１がオンになり、接続された装置のすべての信号出力回路１５がセンサ作動信号を出力する。
直接あるいは通信装置９７を介して接続されたセンサ付装置のすべての人感センサ１３が人の存在を検知せず、スイッチ装置９８の操作スイッチもオフである場合、接続された装置のすべてのスイッチング回路Ｓ１がオフになるので、接続された装置のすべての信号出力回路１５がセンサ作動信号を出力しない。
【００３４】
このように、照明システム９０には、人感センサ１３を有する様々な装置があり、いずれかの装置の人感センサ１３が人の存在を検知した場合に、光源８２を点灯する（あるいは、在時調光率で点灯する）。
このようなシステムにおいて、それぞれの装置は、内蔵する人感センサ１３が人の存在を検知したか否かを他の装置に通知するとともに、他の装置が内蔵する人感センサ１３が人の存在を検知したか否かを他の装置から取得する必要がある。一対の配線を使って、センサ間接続端子１１同士・センサ間接続端子１２同士を接続するだけで、他の装置に情報を通知するとともに、他の装置から情報を取得することができるので、配線を簡略化することができる。
また、他の装置に情報を通知したり、他の装置から情報を取得したりするために、ネットワーク通信回路などの複雑な通信回路が必要ない（照明システム９０は、通信装置９７なしでも構築可能である）。このため、装置の回路構成を簡略化することができ、装置の部品数を削減できる。これにより、装置の材料コストや組み立てコストなどの製造コストを削減し、装置を小型化し、装置の信頼性を向上することができる。
【００３５】
また、制御回路２４は、信号出力回路１５が出力したセンサ作動信号に基づいて光源８２の点灯状態を制御するので、人感センサ１３の数が増えても、制御回路２４の処理負荷は変わらない。このため、比較的処理能力の低いマイコンを使って制御回路２４を構成することができ、装置の製造コストを削減し、制御回路２４における消費電力を抑えることができる。
【００３６】
なお、接続したすべてのセンサ付照明装置９２や照明装置９３やセンサ付照明制御装置９５や照明制御装置９６が、同じ検知情報に基づいて動作するが、在時調光率や不在時調光率や保持時間やフェードイン時間やフェードアウト時間などのパラメータを装置ごとに変えることにより、それぞれの装置に異なる動作をさせることができる。
【００３７】
以上のように、人検出機能を持った複数の照明装置において、各照明装置を渡り配線するだけで、各照明装置が検出した人検出情報を相互にやりとりすることができる。
【００３８】
例えば、ダウンライト型の照明装置は配光が広くない。このため、照明システム９０に、人感センサ１３のみの装置（センサ装置９１）を追加して人検知の場所から遠くのダウンライトを動作させることは少ない。人検出機能のあるダウンライトを相互に接続して、連携して点灯させることができるので、別途、人感センサ（センサ装置９１）を設置する必要がなくなり、天井の見栄えが良くなる。
【００３９】
照明装置（９２）内の内部人感センサ（１３）の人検出情報が人感センサ処理回路（１５）に入力される。また、一方で外部照明装置等（９１、９２、９５、９７、９８）からの人検出情報が照明装置内のセンサ端子台（１０）を通り人感センサ処理回路（１５）に入力される。人感センサ処理回路（１）は、２つの情報を合わせて、マイコン（２４）に入力する。生データを合成したのちにマイコンが処理をするので、マイコン負荷を軽減でき、外部照明装置等からの人検出情報の連動動作を行うことができる。
内蔵人感センサの信号と外部人検出情報の信号とが合成されて、端子（１１，１２）間の電位差になる。端子間の電位差が下がれば、トランジスタ（Ｓ５）がオンになり、マイコン（２４）の入力は、ほぼＶｃｃ（制御電源電圧）となる。これにより、内蔵人感センサの人検出情報と、外部人検出情報の信号に連動した動作を行うことができる。
その一方、内蔵人感センサの信号は、センサ端子台（１０）を通し、他局照明装置等へ伝送される。これにより、他局照明装置等（９２，９３，９５，９６，９７）に人検出情報を送出することができ、他局照明装置等を連動動作させることができる。
照明装置は、内部人感センサ（１３）がない照明装置（９３）であってもよい。その場合、他の照明装置など（９１、９２、９５、９７、９８）から人検出情報の信号を受け、他の照明装置（９２、９３）と連動して動作することができる。
【００４０】
また、センサ端子台（１０）がない照明装置（９４）は、センサ端子台（１０）を有する照明コントローラ（９５，９６）に接続することにより、センサ端子台（１０）を有する照明装置と連動して動作することができる。
【００４１】
また、センサ装置（９１）のように外部から電力の供給を受けて動作する装置の数が、照明装置（９２，９３）のように外部へ電力を供給する装置の数と比べて多く、必要な電力を十分供給できない可能性がある場合や、装置間を接続する配線が長く、配線の内部抵抗が無視できない場合などは、中継装置（９９）を適宜設けることにより、伝達される信号の信頼性を高めることができる。
【００４２】
実施の形態２．
実施の形態２について、図１１〜図１２を用いて説明する。
なお、実施の形態１と共通する部分については、同一の符号を付し、説明を省略する。
【００４３】
この実施の形態における照明システム９０は、実施の形態１で説明した装置に加えて、更に、センサ装置３１を有する。
【００４４】
図１１は、この実施の形態におけるセンサ装置３１の構成を示す図である。
【００４５】
センサ装置３１は、例えば、センサ端子台１０と、スイッチング回路Ｓ１と、制御電源回路１４と、照度センサ３３とを有する。このうち、センサ端子台１０は、センサ装置９１と同様である。
照度センサ３３は、所定の検出範囲の照度を検出する。照度センサ３３は、制御電源回路１４から供給された電力を電源として動作する。
スイッチング回路Ｓ１は、制御電源回路１４の第二の出力端子とセンサ間接続端子１２との間に接続している。スイッチング回路Ｓ１は、ＰＮＰ型バイポーラトランジスタやエンハンスメント型ｐＭＯＳＦＥＴなどのスイッチング素子を有する。スイッチング回路Ｓ１のスイッチング素子は、照度センサ３３の検出結果に基づいてオンオフする。例えば、検出範囲の照度が所定の照度より明るい場合に、スイッチング回路Ｓ１のスイッチング素子がオンになる。
【００４６】
図１２は、この実施の形態における照明システム９０の動作を説明するための図である。
【００４７】
センサ装置３１のスイッチング回路Ｓ１がオフの場合の動作は、実施の形態１と同様である。
センサ装置３１のスイッチング回路Ｓ１がオンの場合、センサ装置３１の制御電源回路１４の出力がセンサ間接続端子１２に接続されるので、２つのセンサ間接続端子１１，１２の間の電位差は、制御電源回路１４が出力する直流電力の電圧値とほぼ等しくなる。他のいずれかの装置のスイッチング回路Ｓ１がオンである場合、制御電源回路１４が出力する直流電力の電圧値と、定電圧素子Ｄ１の閾値電圧との差が、電流制限抵抗Ｒ１の両端に印加され、センサ装置３１の制御電源回路１４から供給される電流が電流制限抵抗Ｒ１を流れる。
これにより、センサ装置３１のスイッチング回路Ｓ１がオンの場合、他の装置の信号出力回路１５は、センサ作動信号を出力しない。
【００４８】
例えば、昼間で屋外からの光が差し込んでいる場合、光源８２を点灯しない、あるいは、暗く点灯することにより、省エネルギーを図ることができる。照度センサ３３が作動してセンサ装置３１のスイッチング回路Ｓ１がオンになると、人感センサ１３が作動しても、信号出力回路１５がセンサ作動信号を出力しないので、制御回路２４は、光源８２を点灯しない、あるいは、不在時調光率で点灯する。
【００４９】
実施の形態３．
実施の形態３について、図１３〜図１５を用いて説明する。
なお、実施の形態１または実施の形態２と共通する部分については、同一の符号を付し、説明を省略する。
【００５０】
図１３は、この実施の形態におけるセンサ装置９１の構成を示す図である。
【００５１】
センサ端子台１０は、４つのセンサ間接続端子１１ａ，１２ａ，１１ｂ，１２ｂを有する。２つのセンサ間接続端子１１ａ，１１ｂは、互いに電気接続している。２つのセンサ間接続端子１２ａ，１２ｂは、互いに電気接続している。２つのセンサ間接続端子１１ａ，１２ａは、対をなしている。２つのセンサ間接続端子１１ｂ，１２ｂは、対をなしている。
【００５２】
図１４は、この実施の形態におけるセンサ回路２１の構成を示す図である。
【００５３】
センサ付照明装置９２やセンサ付照明制御装置９５のセンサ回路２１は、センサ装置９１と同様、センサ端子台１０が４つのセンサ間接続端子１１ａ，１２ａ，１１ｂ，１２ｂを有する。２つのセンサ間接続端子１１ａ，１１ｂは、互いに電気接続している。２つのセンサ間接続端子１２ａ，１２ｂは、互いに電気接続している。
【００５４】
照明装置９３、照明制御装置９６、通信装置９７なども同様である。
【００５５】
図１５は、この実施の形態における照明システム９０の配線を示す接続図である。
【００５６】
照明システム９０は、例えば、３つのセンサ装置９１ａ〜９１ｃと、２つのセンサ付照明装置９２ａ，９２ｂとを有する。例えば、センサ装置９１ａの接続端子対１６ｂ（センサ間接続端子１１ｂとセンサ間接続端子１２ｂとの対）とセンサ付照明装置９２ａの接続端子対１６ａ（センサ間接続端子１１ａとセンサ間接続端子１２ｂとの対）とが配線により接続されている。センサ付照明装置９２ａの接続端子対１６ｂとセンサ装置９１ｂの接続端子対１６ａとが配線により接続されている。センサ装置９１ｂの接続端子対１６ｂとセンサ付照明装置９２ｂの接続端子対１６ａとが配線により接続されている。センサ付照明装置９２ｂの接続端子対１６ｂとセンサ装置９１ｃの接続端子対１６ａとが配線により接続されている。なお、センサ装置９１とセンサ付照明装置９２とが交互に接続される必要はなく、同じ種類の装置が連続して接続されていてもよいし、照明装置９３、センサ付照明制御装置９５、照明制御装置９６、通信装置９７などが接続されていてもよい。
【００５７】
このように、１つのセンサ端子台１０に、２つの接続端子対１６があることにより、装置間の接続が容易になる。すべての装置を一筆書き状に接続することにより、すべての装置のセンサ間接続端子１１同士、センサ間接続端子１２同士を接続することができる。
なお、１つのセンサ端子台１０に、３つ以上の接続端子対１６がある構成であってもよい。そうすれば、すべての装置を一筆書き状に接続する必要はなく、途中で枝分かれさせることができるので、装置間の接続が更に容易になる。
【００５８】
実施の形態４．
実施の形態４について、図１６〜図２０を用いて説明する。
なお、実施の形態１〜実施の形態３と共通する部分については、同一の符号を付し、説明を省略する。
【００５９】
図１６は、この実施の形態におけるセンサ装置９１の構成を示す図である。
【００６０】
センサ装置９１は、センサ端子台１０と、人感センサ１３と、３つの定電圧素子Ｄ１〜Ｄ３と、３つの電流制限抵抗Ｒ１〜Ｒ３と、３つのスイッチング回路Ｓ１〜Ｓ３と、２つの切替スイッチＳ８，Ｓ９とを有する。
センサ端子台１０は、６つのセンサ間接続端子１１ａ〜１１ｃ，１２ａ〜１２ｃを有する。３つのセンサ間接続端子１１ａ〜１１ｃは、互いに電気接続している。２つのセンサ間接続端子１１ａ，１２ａは、対をなしている。２つのセンサ間接続端子１１ｂ，１２ｂは、対をなしている。２つのセンサ間接続端子１１ｃ，１２ｃは、対をなしている。
人感センサ１３は、接続端子対１６ａ（センサ間接続端子１１ａとセンサ間接続端子１２ａとの対）を介して外部から供給される電力により動作する。
３つのスイッチング回路Ｓ１〜Ｓ３は、人感センサ１３の検出結果にしたがって、すべて同じ動作をする。人感センサ１３が人の存在を検知した場合、３つのスイッチング回路Ｓ１〜Ｓ３は、オンになる。
定電圧素子Ｄ１と電流制限抵抗Ｒ１とスイッチング回路Ｓ１とは、互いに直列に電気接続している。定電圧素子Ｄ１と電流制限抵抗Ｒ１とスイッチング回路Ｓ１との直列回路は、接続端子対１６ａの間に電気接続している。
定電圧素子Ｄ２と電流制限抵抗Ｒ２とスイッチング回路Ｓ２とは、互いに直列に電気接続している。定電圧素子Ｄ２と電流制限抵抗Ｒ２とスイッチング回路Ｓ２との直列回路は、切替スイッチＳ８を介して、接続端子対１６ｂ（センサ間接続端子１１ｂとセンサ間接続端子１２ｂとの対）の間に電気接続している。
定電圧素子Ｄ３と電流制限抵抗Ｒ３とスイッチング回路Ｓ３とは、互いに直列に電気接続している。定電圧素子Ｄ３と電流制限抵抗Ｒ３とスイッチング回路Ｓ３との直列回路は、切替スイッチＳ９を介して、接続端子対１６ｃ（センサ間接続端子１１ｃとセンサ間接続端子１２ｃとの対）の間に電気接続している。
２つの切替スイッチＳ８，Ｓ９は、使用者が手動で切り替えることができる設定スイッチである。
切替スイッチＳ８は、２つの状態を有する。第一の状態（共通モード）のとき、切替スイッチＳ８は、センサ間接続端子１２ｂとセンサ間接続端子１２ａとを電気接続する。切替スイッチＳ８が共通モードに設定されているとき、センサ間接続端子１２ａの電位とセンサ間接続端子１２ｂの電位とは同じである。第二の状態（独立モード）のとき、切替スイッチＳ８は、センサ間接続端子１２ｂと、定電圧素子Ｄ２と電流制限抵抗Ｒ２とスイッチング回路Ｓ２との直列回路とを電気接続する。切替スイッチＳ８が独立モードに設定されているとき、センサ間接続端子１２ａとセンサ間接続端子１２ｂとは電気的に独立している。したがって、センサ間接続端子１２ａの電位と、センサ間接続端子１２ｂの電位とが異なる場合がある。
同様に、切替スイッチＳ９は、２つの状態を有する。第一の状態（共通モード）のとき、切替スイッチＳ９は、センサ間接続端子１２ｃとセンサ間接続端子１２ａとを電気接続する。切替スイッチＳ９が共通モードに設定されているとき、センサ間接続端子１２ａの電位とセンサ間接続端子１２ｃの電位とは同じである。第二の状態（独立モード）のとき、切替スイッチＳ９は、センサ間接続端子１２ｃと、定電圧素子Ｄ３と電流制限抵抗Ｒ３とスイッチング回路Ｓ３との直列回路とを電気接続する。切替スイッチＳ９が独立モードに設定されているとき、センサ間接続端子１２ａとセンサ間接続端子１２ｃとは電気的に独立している。したがって、センサ間接続端子１２ａの電位と、センサ間接続端子１２ｃの電位とが異なる場合がある。
【００６１】
図１７は、この実施の形態におけるセンサ回路２１の構成を示す図である。
【００６２】
センサ付照明装置９２やセンサ付照明制御装置９５のセンサ回路２１は、センサ装置９１と同様、センサ端子台１０が６つのセンサ間接続端子１１ａ〜１１ｃ，１２ａ〜１２ｃを有する。３つのセンサ間接続端子１１ａ〜１１ｃは、互いに電気接続している。２つのセンサ間接続端子１１ａ，１２ａは、対をなしている。２つのセンサ間接続端子１１ｂ，１２ｂは、対をなしている。２つのセンサ間接続端子１１ｃ，１２ｃは、対をなしている。
また、センサ回路２１は、センサ装置９１と同様、３つの定電圧素子Ｄ１〜Ｄ３と、３つの電流制限抵抗Ｒ１〜Ｒ３と、３つのスイッチング回路Ｓ１〜Ｓ３と、２つの切替スイッチＳ８，Ｓ９とを有する。これらの間の接続関係は、センサ装置９１と同様である。
更に、センサ回路２１は、３つの抵抗Ｒ４，Ｒ６，Ｒ７を有する。抵抗Ｒ４は、制御電源回路１４の第二の出力端子と、センサ間接続端子１２ａとの間に電気接続している。抵抗Ｒ６は、制御電源回路１４の第二の出力端子と、定電圧素子Ｄ２と電流制限抵抗Ｒ２とスイッチング回路Ｓ２との直列回路と切替スイッチＳ８との接続点との間に電気接続している。抵抗Ｒ７は、制御電源回路１４の第二の出力端子と、定電圧素子Ｄ３と電流制限抵抗Ｒ３とスイッチング回路Ｓ３との直列回路と切替スイッチＳ９との接続点との間に電気接続している。
また、信号出力回路１５は、３つのスイッチング回路Ｓ５〜Ｓ７を有する。３つのスイッチング回路Ｓ５〜Ｓ７は、互いに並列に電気接続している。スイッチング回路Ｓ５は、抵抗Ｒ４の両端電圧が閾値より大きい場合にオンになる。スイッチング回路Ｓ６は、抵抗Ｒ６の両端電圧が閾値より大きい場合にオンになる。スイッチング回路Ｓ７は、抵抗Ｒ７の両端電圧が閾値より大きい場合にオンになる。信号出力回路１５は、３つの抵抗Ｒ４，Ｒ６，Ｒ７のいずれかの両端電圧が閾値より大きい場合に、センサ作動信号を出力する。
【００６３】
図１８は、この実施の形態における照明システム９０の配線を示す接続図である。
【００６４】
照明システム９０は、例えば、１２個のセンサ装置９１ａ〜９１ｌと、９つのセンサ付照明装置９２ａ〜９２ｉとを有する。配線により接続されている接続端子対１６は、以下のとおりである。センサ装置９１ａの接続端子対１６ａと、センサ付照明装置９２ａの接続端子対１６ｂ。センサ付照明装置９２ａの接続端子対１６ｃと、センサ装置９１ｂの接続端子対１６ａ。センサ装置９１ｂの接続端子対１６ｃと、センサ付照明装置９２ｂの接続端子対１６ａ。センサ付照明装置９２ｂの接続端子対１６ｃと、センサ装置９１ｃの接続端子対１６ａ。センサ装置９１ｃの接続端子対１６ｃと、センサ付照明装置９２ｃの接続端子対１６ａ。センサ付照明装置９２ｃの接続端子対１６ｂと、センサ装置９１ｄの接続端子対１６ａ。センサ装置９１ｄの接続端子対１６ｂと、センサ付照明装置９２ｄの接続端子対１６ｃ。センサ付照明装置９２ｄの接続端子対１６ｂと、センサ装置９１ｅの接続端子対１６ａ。センサ装置９１ｅの接続端子対１６ｂと、センサ付照明装置９２ｅの接続端子対１６ｃ。センサ付照明装置９２ｅの接続端子対１６ａと、センサ装置９１ｆの接続端子対１６ｃ。センサ装置９１ｆの接続端子対１６ｂと、センサ付照明装置９２ｆの接続端子対１６ｂ。センサ付照明装置９２ｆの接続端子対１６ａと、センサ装置９１ｇの接続端子対１６ｃ。センサ装置９１ｇの接続端子対１６ａと、センサ付照明装置９２ｇの接続端子対１６ｃ。センサ付照明装置９２ｇの接続端子対１６ａと、センサ装置９１ｈの接続端子対１６ｂ。センサ装置９１ｈの接続端子対１６ａと、センサ付照明装置９２ｈの接続端子対１６ｂ。センサ付照明装置９２ｈの接続端子対１６ａと、センサ装置９１ａの接続端子対１６ｂ。センサ付照明装置９２ｈの接続端子対１６ｃと、センサ装置９１ｉの接続端子対１６ａ。センサ装置９１ｉの接続端子対１６ｃと、センサ付照明装置９２ｉの接続端子対１６ａ。センサ付照明装置９２ｉの接続端子対１６ｃと、センサ装置９１ｊの接続端子対１６ｂ。センサ装置９１ｊの接続端子対１６ａと、センサ付照明装置９２ｂの接続端子対１６ｂ。センサ装置９１ｋの接続端子対１６ｃと、センサ付照明装置９２ｄの接続端子対１６ａ。センサ装置９１ｋの接続端子対１６ｂと、センサ装置９１ｌの接続端子対１６ｃ。センサ装置９１ｌの接続端子対１６ｂと、センサ付照明装置９２ｆの接続端子対１６ｃ。センサ装置９１ｌの接続端子対１６ａと、センサ付照明装置９２ｉの接続端子対１６ｂ。
【００６５】
図１９は、この実施の形態における切替スイッチＳ８，Ｓ９の設定モードと、点灯するセンサ付照明装置９２との関係を示す図である。
【００６６】
この実施の形態における照明システム９０は、各装置の切替スイッチＳ８，Ｓ９の設定モードを切り替えることによって、各装置の人感センサ１３が人の存在を検知した場合に光源８２を点灯する範囲を変えることができる。
【００６７】
「Ｓ８」及び「Ｓ９」の横の「○」及び「×」は、切替スイッチＳ８及び切替スイッチＳ９の設定モードを表わし、「○」は共通モード、「×」は独立モードを表わす。この例では、ほとんどの装置の切替スイッチＳ８，Ｓ９を独立モードにし、センサ装置９１ｆの切替スイッチＳ８と、センサ装置９１ｋの切替スイッチＳ９と、センサ装置９１ｌの切替スイッチＳ９とを共通モードにしている。
「９２ａ」〜「９２ｉ」の横の「○」及び「×」は、それぞれの装置が有する人感センサ１３が作動したとき、センサ付照明装置９２の光源８２が点灯するか否か（あるいは点灯する調光率が在時調光率か不在時調光率か）を表わす。「○」は点灯（あるいは在時調光率）、「×」は消灯（あるいは不在時調光率）を表わす。例えば、センサ装置９１ａの人感センサ１３が作動したとき、２つのセンサ付照明装置９２ａ，９２ｈの光源８２が点灯する。また、センサ付照明装置９２ｉの光源８２が点灯するのは、４つのセンサ装置９１ｉ〜９１ｌ、センサ付照明装置９２ｉのうちいずれかの人感センサ１３が作動したときである。
【００６８】
センサ装置９１の人感センサ１３は、接続端子対１６ａから供給される電力によって動作する。センサ装置９１ｆ，９１ｋの接続端子対１６ａには、他の装置が接続されていない。そこで、センサ装置９１ｆの切替スイッチＳ８を共通モードにすることにより、センサ装置９１ｆの接続端子対１６ａと接続端子対１６ｂとを電気接続する。これにより、センサ装置９１ｆの人感センサ１３は、接続端子対１６ｂに接続したセンサ付照明装置９２ｆから供給される電力により動作する。同様に、センサ装置９１ｋの切替スイッチＳ９を共通モードにすることにより、センサ装置９１ｋの接続端子対１６ａと接続端子対１６ｃとを電気接続する。これにより、センサ装置９１ｋの人感センサ１３は、接続端子対１６ｃに接続したセンサ付照明装置９２ｄから供給される電力により動作する。
また、センサ装置９１ｌの切替スイッチＳ９を共通モードにすることにより、センサ装置９１ｌの接続端子対１６ａと接続端子対１６ｃとを電気接続する。これにより、センサ装置９１ｌの接続端子対１６ｃに接続したセンサ装置９１ｋの人感センサ１３による検出結果を、センサ装置９１ｌの接続端子対１６ａに接続したセンサ付照明装置９２ｉに通知することができる。
【００６９】
このように、ほとんどの切替スイッチＳ８，Ｓ９を独立モードにすることにより、人感センサ１３が作動したとき、比較的狭い範囲の光源８２を点灯することができる。
【００７０】
図２０は、この実施の形態における切替スイッチＳ８，Ｓ９の設定モードと、点灯するセンサ付照明装置９２との関係の別の例を示す図である。
【００７１】
この例では、すべてのセンサ装置９１ａ〜９１ｌの切替スイッチＳ８，Ｓ９を共通モードにし、すべてのセンサ付照明装置９２ａ〜９２ｉの切替スイッチＳ８，Ｓ９を独立モードにしている。
【００７２】
この場合、例えば、センサ付照明装置９２ａの人感センサ１３が作動したとき、３つのセンサ付照明装置９２ａ，９２ｂ，９２ｈの光源８２が点灯する。また、センサ付照明装置９２ｉの光源８２が点灯するのは、４つのセンサ装置９１ｉ〜９１ｌ、５つのセンサ付照明装置９２ｂ，９２ｄ，９２ｆ，９２ｈ，９２ｉのうちいずれかの人感センサ１３が作動したときである。
【００７３】
このように、部分的に切替スイッチＳ８，Ｓ９を共通モードにすることにより、人感センサ１３が作動したときに点灯する光源８２の範囲を広げることができる。
【００７４】
更に、すべての切替スイッチＳ８，Ｓ９を共通モードにすれば、いずれかの装置の人感センサ１３が作動したときに、すべてのセンサ付照明装置９２ａ〜９２ｉの光源８２が点灯する。
【００７５】
補足．
以上、各実施の形態で説明した構成は、一例であり、他の構成であってもよい。例えば、異なる実施の形態で説明した構成を組み合わせた構成であってもよいし、本質的でない部分の構成を、他の構成で置き換えた構成であってもよい。
【００７６】
例えば、それぞれの装置は、センサ端子台１０に代えて、他の装置と接続する配線に設けられたコネクタと係合するコネクタを有する構成であってもよい。
【００７７】
センサ装置９１は、２つのセンサ間接続端子１１，１２を介してセンサ付照明装置９２などから供給される電力により動作するのではなく、外部電源８１などから供給される電力により動作する構成であってもよい。例えば、センサ装置９１は、外部電源８１などから供給される電力を、人感センサ１３などを動作させる直流電力に変換する直流電圧源回路（例えば５Ｖ）を有する。
あるいは、電源供給用の第三のセンサ間接続端子を設け、２つのセンサ間接続端子１１，１２のいずれかと、第三のセンサ間接続端子とを介して、センサ付照明装置９２などからセンサ装置９１に対して電力を供給する構成であってもよい。
【００７８】
定電圧素子Ｄ１は、スイッチング回路Ｓ１がオンのときでも２つのセンサ間接続端子１１，１２の間の電位差を所定の電圧値（例えば７Ｖ）以上に保つためのものである。照明システム９０に接続されたすべてのセンサ装置９１が独自の電源などで動作する構成である場合、定電圧素子Ｄ１は、なくてもよい。
その場合、信号出力回路１５がセンサ作動信号を出力するか否かを判定するための閾値電圧を小さくすることができる。２つのセンサ間接続端子１１，１２の間の電位差は、例えば４．２Ｖのときすべての人感センサ１３が作動していないことを表わし、例えば０．８Ｖのときいずれかの人感センサ１３が作動していることを表わす。信号出力回路１５は、例えば２．５Ｖを閾値とし、２つのセンサ間接続端子１１，１２の間の電位差が閾値より小さい場合に、センサ作動信号を出力する。
【００７９】
また、照明システム９０に接続されたすべてのセンサ装置９１が独自の電源などで動作する構成である場合、人感センサ１３が作動したときに２つのセンサ間接続端子１１，１２の間の電位差が小さくなるのではなく、人感センサ１３が作動したときに２つのセンサ間接続端子１１，１２の間の電位差が大きくなる構成であってもよい。例えば、スイッチング回路Ｓ１を、２つのセンサ間接続端子１１，１２の間に接続するのではなく、直流電圧源回路の出力と、センサ間接続端子１２との間に接続する。
その場合、２つのセンサ間接続端子１１，１２の間の電位差は、例えば０．８Ｖのときすべての人感センサ１３が作動していないことを表わし、例えば４．２Ｖのときいずれかの人感センサ１３が作動していることを表わす。信号出力回路１５は、例えば２．５Ｖを閾値とし、２つのセンサ間接続端子１１，１２の間の電位差が閾値より大きい場合に、センサ作動信号を出力する。
【００８０】
また、通信装置９７やスイッチ装置９８や中継装置９９が、人感センサ１３や照度センサ３３を有する構成であってもよい。
また、センサ装置９１やセンサ付照明装置９２や照明装置９３やセンサ付照明制御装置９５や照明制御装置９６が、照度センサ３３やその他のセンサを有する構成であってもよい。
【００８１】
また、照明システム９０は、センサ装置９１に対するスイッチ装置９８の関係と同様、実施の形態２における照度センサ３３と同様の回路構成を有するスイッチ装置を有する構成であってもよい。すなわち、スイッチ装置は、照度センサ３３から照度センサ３３を取り除き、スイッチング回路Ｓ１が、利用者が手動で操作する操作スイッチを有する。利用者が操作スイッチをオンにすると、スイッチング回路Ｓ１がオンになり、照明システム９０の光源８２を強制的に消灯（あるいは不在時調光率で点灯）させることができる。
【００８２】
また、実施の形態４における切替スイッチＳ８，Ｓ９は、手動で切り替えるスイッチではなく、電気的に切り替えることができるスイッチであってもよい。例えば、制御回路２４が記憶したパラメータに基づいて、切替スイッチＳ８，Ｓ９を切り替える。これにより、制御回路２４が記憶したパラメータの設定値を変更すれば、切替スイッチＳ８，Ｓ９の状態を容易に変更することができる。
なお、制御回路２４が記憶したすべてのパラメータを変更できる構成であってもよいし、一部のパラメータのみを変更できる構成であってもよい。例えば、パラメータを変更するための設定スイッチをセンサ付照明装置９２などに設ける構成であってもよい。あるいは、利用者が操作するリモコンから信号を受信するリモコン受信部をセンサ付照明装置９２などに設ける構成であってもよい。制御回路２４は、設定スイッチやリモコンの操作により入力されたパラメータを記憶する。
例えば、保持時間やオフディレー時間を無限大に設定すれば、人がいなくなっても自動的に消灯しないようにすることができる。
【００８３】
なお、スイッチング回路Ｓ１のスイッチング素子としてＦＥＴを使用した場合、信号電流を大きく吸い込んだり吐き出したりすることができる。
【符号の説明】
【００８４】
１０  センサ端子台、１１，１２  センサ間接続端子、１３  人感センサ、１４  制御電源回路、１５  信号出力回路、１６  接続端子対、２１  センサ回路、２２  センサ入力回路、２３  センサ変換回路、２４  制御回路、２５  点灯回路、２６  通信回路、３１，９１  センサ装置、３３  照度センサ、８１  外部電源、８２  光源、９０  照明システム、９２  センサ付照明装置、９３，９４  照明装置、９５  センサ付照明制御装置、９６  照明制御装置、９７  通信装置、９８  スイッチ装置、９９  中継装置、Ｄ１〜Ｄ３  定電圧素子、Ｒ１〜Ｒ３  電流制限抵抗、Ｒ４〜Ｒ７  抵抗、Ｓ１〜Ｓ７  スイッチング回路、Ｓ８，Ｓ９  切替スイッチ。
【図１】
0005686723.tif 000002
【図２】
0005686723.tif 000003
【図３】
0005686723.tif 000004
【図４】
0005686723.tif 000005
【図５】
0005686723.tif 000006
【図６】
0005686723.tif 000007
【図７】
0005686723.tif 000008
【図８】
0005686723.tif 000009
【図９】
0005686723.tif 000010
【図１０】
0005686723.tif 000011
【図１１】
0005686723.tif 000012
【図１２】
0005686723.tif 000013
【図１３】
0005686723.tif 000014
【図１４】
0005686723.tif 000015
【図１５】
0005686723.tif 000016
【図１６】
0005686723.tif 000017
【図１７】
0005686723.tif 000018
【図１８】
0005686723.tif 000019
【図１９】
0005686723.tif 000020
【図２０】
0005686723.tif 000021